(57)【特許請求の範囲】
【請求項１】
前部上面に綴針の曲台(５)を設けたベース(１)の上方に、内部に針押装置を内装したフレーム(２)と、前端に押刃(６)を装着したハンドル(３)とを、後部において枢軸(４)により回動可能に枢着してホッチキス部を構成し、前記ベース(１)の下面に、２穴穿孔用のパンチ刃(７)及び係合部(１０)を設けると共に、前記パンチ刃(７)が嵌入するパンチ穴(１３)と、係合部(１０)が係止する係止部(１５)を形成したパンチ台(１２)とを、ベース(１)とパンチ台(１２)の側縁に設けた取付部(１１)を介して開閉自在に連結してパンチ装置部を形成すると共に、パンチ台(１２)の下面にパンチ屑受体(２０)を装着したパンチホッチキスにおいて、前記パンチ台(１２)の上面中心部に指標部(１６)を設け、更にパンチ穴(１３)の内側位置に穿孔する用紙の端部を合わせる、４穴穿孔用の表示部(１７)を形成すると共に、パンチ台(１２)の下方にペーパーガイド(３０)を装着すると共に、前記屑受体(２０)にペーパーガイド(３０)を装着した多機能パンチホッチキス。
【請求項２】
上方にホッチキス部を設け、下方にパンチ装置部を形成したパンチホッチキスにおいて、パンチ台(１２)の上面に設けた２穴の穴ピッチを、８０ｍｍに設定すると共に、２穴の穴の中心から両穴の内側に向けて、ほぼ２８．５ｍｍの位置に、１個又は２個の表示部(１７)を設けてなる、請求項１記載の多機能パンチホッチキス。
【請求項３】
上方にホッチキス部を設け、下方にパンチ装置部を形成したパンチホッチキスにおいて、パンチ台(１２)の下面に、ペーパーガイド(３０)を装着してなる請求項１記載の多機能パンチホッチキス。
【請求項４】
上方にホッチキス部を設け、下方にパンチ装置部を形成すると共に、パンチ装置部の下面に屑受体(２０)を設けたパンチホッチキスにおいて、前記屑受体(２０)にペーパーガイド(３０)を装着してなる請求項１記載の多機能パンチホッチキス。
【発明の詳細な説明】
【０００１】
【発明の属する技術分野】
本発明は、極めて簡単な構成により、ホッチキス部による紙綴じと、下方に設けたパンチ装置部により、１穴、２穴、４穴の穿孔が、Ａ判及びＢ判等の各規格用紙毎に穿孔が行えるようにした、多機能パンチホッチキスに関するものである。
【０００２】
【従来の技術】
従来この種の穴あけパンチ付きのホッチキスとして、例えば本出願人の発明にかかる、特公昭６０−５９１１７号公報の「２穴パンチホッチキス」及び、特開昭６０−１６７７７８号の「穿孔器内蔵ホッチキス」並びに特開昭６１−８２８８号公報の「パンチホッチキス」等が開示されている。
【０００３】
前記の３件のものは、いずれも１穴及び２穴の穿孔はできるが、４穴の正確な穿孔は不可能であり、また、Ａ判用紙、Ｂ判用紙等の規格用紙毎に正しい穿孔を行うことができない等の、問題点や欠点があった。
【０００４】
【発明が解決しようとする課題】
本発明は、上記の問題点や欠点を解決するためになされたもので、確実な紙綴じと多種類の穿孔が各規格用紙毎に正確に行うことができる、多機能パンチホッチキスを提供することを目的とするものである。
【０００５】
【課題を解決するための手段】
この目的を達成するために、本発明においては、前部上面に曲台を設けたベースの上方に、内部に針押装置を内装したフレームと、前端に押刃を装着したハンドルとを、後部において枢軸により回動可能に枢着してホッチキス部を構成する。
【０００６】
そして、前記ベースの下面に、パンチ刃及び係合部を設けると共に、前記パンチ刃が嵌入するパンチ穴と、係合部が係止する係止部を形成したパンチ台とを、ベースとパンチ台の側縁に設けた取付部を介して、開閉自在に連結してパンチ装置部を形成すると共に。
【０００７】
さらに前記パンチ台の下面に、パンチ屑受体を装着したパンチホッチキスにおいて、前記パンチ台の上面中間部にパンチ穴の中心からほぼ２８．５ｍｍの位置に表示部を形成すると共に、パンチ台の下方に、ペーパーガイドを装着したものである。
【０００８】
この多機能パンチホッチキスのうち、まずＡ４判の用紙に、２穴及び４穴の穿孔を行う手段として、パンチ台の上面に設けた２穴の穴の穴ピッチを８０ｍｍに形成すると共に、２穴の穴の中心から、それぞれの内側に向けて、ほぼ２８．５ｍｍの位置に表示部を設けたものである。
【０００９】
また、多機能パンチの他の方法として、上方にホッチキス部を設け、下方にパンチ装置部を形成したパンチホッチキスにおいて、パンチ台の下面に移動可能にペーパーガイドを取り付けたものである。
【００１０】
さらに、他の穿孔方法として、上方にホッチキス部を設け、下方にパンチ装置部を形成すると共に、パンチ装置部の下面に、屑受体を装着したパンチホッチキスにおいて、前記屑受体に、ペーパーガイドを取り付けたものである。
【００１１】
【発明の実施の形態】
【００１２】
【実施例１】
以下図面を参照して、本発明の実施例について説明すると、図１から図４に示す実施例１について、図中１はベース、２はフレーム、３はハンドルで、それぞれの後部基端において、枢軸４により回動自在に枢着する。
【００１３】
ベース１には前端部に綴針の曲台５を装着すると共に、後部にバネ（図示なし）を固着して、フレーム２を上方に拡開する。
【００１４】
フレーム２内には針押具及びコイルバネ等を装着して、綴り針を前方へ押進するようにすると共に、上方のハンドル３の内部には、前部に押刃６を設け、後部をバネ部としたハンドルバネ（図示なし）を装着し、従来のホッチキスとほぼ同様に構成する。
【００１５】
次に前記ベース１の下面には、図１のごとくパンチ刃７・７を取り付けると共に、ベース１と１体成形された２枚の板状片９・９と、この板状片９・９から突出した突片８から成る係合部１０を設け、更に１側端に取付部１１・１１を形成し、この取付部１１・１１をパンチ台１２の軸（図示なし）に枢着した蝶番状に回動自在に連結する。
【００１６】
前記パンチ台１２には、パンチ穴１３・１３を穿設すると共に、上面に用紙の抑止片１４・１４を形成し、一方の抑止片１４に係止部１５を設け、この係止部１５に、ベース１に設けた係合部１０が係脱できるようにして、ベース１と、パンチ台１２が閉鎖及び開放できるようにする。
【００１７】
前記パンチ穴１３・１３は、図１に示すように穴の中心から中心までを８０ｍｍの間隔を保つように穿設されており、前記２穴の中間位置に３角形状の指標部１６が形成されている。
【００１８】
更にパンチ台１２には本発明の特長である、Ａ４判用紙に４穴の穿孔を行うために、図１に示すように、パンチ穴１３・１３の中心から内側に、ほぼ２８．５ｍｍの位置に表示部１７・１７を設ける。
【００１９】
なお図において１８は切替スライダーで、穿孔作業の際に後方に少くし移動することにより、前端部１９がフレーム２の上面に当接して、綴針の突出を防止するものであり、２０は屑受体で、パンチ屑を収容するもので、パンチ台１２に着脱可能に装着されている。
【００２０】
本発明は以上のように構成されているので、これをホッチキスとして使用する場合は、図２の状態において、曲台５の上に用紙を載置して、ハンドル３を押し下げれば従来のホッチキスと同様に紙綴じができる。
【００２１】
またパンチとして穿孔作業をする場合は、ハンドル３の切替スライダー１８を後方に少しく移動して、ハンドル３とフレーム２間の回動を止めた後、ベース１をほぼ９０度に、図１のごとく開放し、パンチ台１２上に設けた抑止片１４の下面に、用紙(図示なし)を挿入した後、ハンドル３を把持して、ベース１を元位置へ回動して押し下げれば、パンチ刃７が用紙を穿孔しながら、パンチ穴１３内に嵌入するため、用紙に確実かつ容易に８０ｍｍ間隔の２穴を穿孔することができる。
【００２２】
穴あけ作業終了後、用紙を取り出すには、ベース１を再度上方に回動すると、パンチ刃７も共に上方に回動するため、用紙も上方に回動しようとするが、抑止片１４にさえぎられて、パンチ刃７から離脱されてパンチ台上に残るため、用紙を容易に取り出すことができるものである。
【００２３】
次に図３に示す、Ａ４判用紙２１に本発明の特長である、４穴の穿孔を行う状態を説明する。Ａ４判用紙の規格サイズは、２１０ｍｍ×２９７ｍｍで、上側の２１０ｍｍ部分には、通常２穴の穿孔を行って綴じ込んでいるが、左側の２９７ｍｍの部分には、４穴の穿孔を行うことが多くなっており、抜き孔ピッチは、３箇所とも図３に示すように８０ｍｍで、両側はそれぞれ２８．５ｍｍの規格となっている。
【００２４】
このＡ４判用紙に、図１に示す多機能パンチホッチキスで、４穴の穿孔を行うには２つの方法がある。まず第１の方法においては、Ａ４判用紙２１を図４のように二つ折りにする。
【００２５】
そして折り返し辺２２を、図１に示すパンチ台１２の３角形状の指標部１６の中心先端部に合わせると共に、Ａ４判用紙２１の図において左側の綴じ穴部側２３を、抑止片１４の下に挿入して、前述と同様に、ハンドル３を把持してベース１を元位置に回動すれば、第１次穴２４が穿孔される。
【００２６】
第１次穴２４の穿孔が終ったら、ハンドル３を図１の状態に戻した後、２つ折りした用紙２１の両端部２５を、２箇所の表示部１７の一方に合わせ、用紙２１の綴じ穴部側２３を抑止片１４の下に挿入して、前述と同様にハンドル３を把持して、ベース１を元位置に押し下げれば、第２次穴２６が穿孔される。
【００２７】
穿孔が終って、２つ折りした図４のＡ４判用紙２１を拡げると、３箇所の穴ピッチ８０ｍｍと、両端が２８．５ｍｍの図３に示す、Ａ４判用紙２１と同様に穿孔され、４穴用ファイル帳に綴じ込むことができるものである。
【００２８】
次に、本発明パンチホッチキスの、第２の穿孔方法について説明すると、図１に示す穿孔可能状態において、切替スライダー１８を後方に移動した後、図３のＡ４判用紙２１を、抑止片１４・１４の下に挿入し、用紙２１の中心位置２７を指標部１６の中心先端部に合わせた後、ハンドル３を把持して、ベース１を押し下げれば、前述の説明のごとく、正しい２穴の穿孔ができる。
【００２９】
そして、ハンドル３を上方に開放して図１の状態に戻した後、抑止片１４の下に挿入されている用紙２１を右側に移動して、用紙２１の左端部２８を、右側の表示部１７に合わせて、前述のごとく穿孔を行う。
【００３０】
そして更に、Ａ４判用紙２１を今度は左側に移動させて用紙２１の右端部２９を、左側の表示部１７に合わせ前述のごとく穿孔を行い、これにより、図３に示す規格の４穴の穿孔ができるものである。
【００３１】
なお、図１のパンチホッチキスにおいて、パンチ台１２上の表示部１７の隣に表記されている８・８・８の符号はＡ４判用紙２１の穴間隔８ｃｍ・８ｃｍ・８ｃｍを意味するもので、従来から使用されている符号である。
【００３２】
【実施例２】
次に図５から図７に示す実施例２について説明する。この実施例２は、前述の実施例１のものと、ベース１、フレーム２、及びハンドル３等から成るホッチキス部は同じ構造である。
【００３３】
そして、パンチ装置部については、図５に示すようにパンチ台１２の下面の前部にペーパーガイド３０の挿入部３１を設けると共に後方に亘って、ペーパーガイド３０を移動可能に掛止する多数の掛止突片３２を、それぞれ内側に向けて２列に形成する。
【００３４】
ペーパーガイド３０は、たわみ性のあるプラスチック材料で構成するのが好ましく、図５、６、７に示すように、前端部を上方に曲り曲げて紙当て部３３を形成し、後方に亘って、規制目盛り３４を設けると共に後部上面に突起部３５を形成する。
【００３５】
ペーパーガイド３０には、図７に示すように、規制目盛り３４の左側には規格用紙の穿孔位置に対応する「Ａ４−Ｓ」等の符号３６が表記されており、更に後部の突起部３５の上部は、ペーパーガイド３０を前後に移動する際に、パンチ台１２の裏面に設けられた凹穴（図示なし）にはまり込んで、ペーパーガイド３０の不用意な移動を規制するようにしている。
【００３６】
本発明の多機能パンチホッチキスの実施例２のパンチ装置部は、以上のように構成されており、これにより、ホッチキスとして紙綴じを行うには、実施例１と同様に図６の状態において、曲台５の上に用紙を載置して、ハンドル３を押し下げれば紙綴じができる。
【００３７】
そしてパンチとして穿孔作業を行うには、ハンドル１の切替スライダー１８を後方に少しく移動した後、ベース１を図１のごとくほぼ９０度に開放して、パンチ台１２上の抑止片１４の下に用紙を挿入した後、ハンドル３及びベース１を、元位置に回動して押し下げれば、前述した実施例１と同様に、２穴の穿孔ができる。
【００３８】
次に、Ａ判、Ｂ判等の規格用紙に正しい間隔の穿孔を行うには、図６に示すように、ペーパーガイド３０を所望の位置に引き出した後、図１の如く、ベース１や、ハンドル３を全開してから、用紙をパンチ台１２の上に載せ、用紙の左端を紙当て部３３に当接させて穿孔するものである。
【００３９】
例えば、Ｂ５判の規格用紙に２穴の穿孔を行うには、図７に示す符号「Ｂ５−Ｓ」右側の規制目盛３４を、パンチ台１２の左端部に合わせるまで引出し、突起部３５上部をパンチ台１２の裏側に設けた凹穴（図示なし）に嵌合させる。
【００４０】
そして、図１に示す状態にして、パンチ台１２の抑止片１４の下面にＢ５判用紙を挿入した後、用紙の左端を、紙当て部３３に当接させた後、前述のごとく穿孔すれば、規定の２穴の穿孔ができる。そしてこの２穴から双方の紙の端までが、同じ間隔の規格通りの穿孔ができるものである。
【００４１】
したがって、このペーパーガイド３０を使用することにより、用紙の中心位置を出すために、紙を２つ折りしたり、スケール等を用いることなく、正しい穿孔ができるものである。
【００４２】
【実施例３】
次に、図８に示す実施例３について説明すると、この実施例３は、ホッチキス部及びパンチ装置部は、前述の実施例２とほぼ同様であるが、ペーパーガイド３０の取付方法を、柔軟なプラスチック製の屑受体２０に設けたもので、屑受体２０はパンチ台１２に着脱可能に構成されている。
【００４３】
このため、図８に示すように、ペーパーガイド３０を屑受体２０の下面に、実施例２の図５と同様に、掛止突片３２（図示なし）を２列に多数形成しペーパーガイド３０を２列に向き合った、掛止突片内に移動可能に装着する。
【００４４】
なお図８において、多数の角穴３７は、掛止突片３２（図示なし）を成形加工する際の貫孔。丸穴３８は、図７のペーパーガイド３０の上面に設けられた突起部３５が着脱できるようになっている。
【００４５】
以上のように構成された図８の、ペーパーガイド３０を取り付けた屑受体２０を、パンチ台１２の下面に装着すると、図６に示す多機能パンチホッチキスとほぼ同様であって、紙とじ及び穿孔時の操作方法等も、前述のものとほぼ同様であるので説明を省略する。
【００４６】
【その他の実施例】
以上本発明に係る多機能パンチホッチキスの好適な実施例について説明したが、前記実施例に限るものではない。
例えば、ペーパーガイド３０をパンチ台１２や屑受体２０に装着する場合、紙当て部３０を左方に設けたがこれを右側にして右方向に引き出すようにしてよい。
【００４７】
なお、実施例１において図１に示すように、パンチ台１２のパンチ穴１３・１３の中心から、内側にほぼ２８．５ｍｍの位置に表示部１７・１７を設けたがこの位置は２３ｍｍの長さであるので、２３ｍｍ巾のステッカー等を貼付しても同効である。
【００４８】
実施例１及び２における、ペーパーガイドの装着方法については、前後移動可能に装着したが、これに限らず、例えば回転式、または開閉式のもの等を利用しても差支えない。
【００４９】
【発明の効果】
本発明は、以上説明したように構成されているので、以下に記載されているような効果を奏する。
【００５０】
１台でホッチキス部による紙とじと、パンチ装置部による穿孔ができるので便利であり、事務能率の向上をはかることができる。
【００５１】
また、穿孔については１穴・２穴の外、従来見られなかった４穴の穿孔も行えるので、各種類のファイルの綴じ穴に適合した穿孔ができる。
【００５２】
パンチホッチキスに装着したペーパーガイドを用いることにより、Ａ判・Ｂ判等の各用紙に規格通りの穿孔ができるので、適確な事務処理ができる。
【図面の簡単な説明】
【図１】本発明の多機能パンチホッチキスにおけるパンチ装置部を開放した状態の斜視図である。
【図２】本発明のパンチホッチキスの側面図である。
【図３】４穴を穿孔したＡ４判用紙の平面図である。
【図４】Ａ４判用紙を中央から２つに折り返した状態の平面図である。
【図５】本発明実施例２の、パンチ台下面の斜視図である。
【図６】同上パンチホッチキスの側面図である。
【図７】同上ペーバーガイドの平面図である。
【図８】実施例３における屑受体の斜視図である。
【符号の説明】
１  ベース
２  フレーム
３  ハンドル
５  曲台
７  パンチ刃
１０  係合部
１２  パンチ台
１３  パンチ穴
１４  抑止片
１５  係止部
１６  指標部
１７  表示部
１８  切替スライダー
２０  屑受体
２１  Ａ４判用紙
２２  折り返し辺
３０  ペーパーガイド
３２  掛止突片
３３  紙当て部
３４  規制目盛り
３５  突起部
３６  符号
【図１】
0003615935.tif 000002
【図２】
0003615935.tif 000003
【図３】
0003615935.tif 000004
【図４】
0003615935.tif 000005
【図５】
0003615935.tif 000006
【図６】
0003615935.tif 000007
【図７】
0003615935.tif 000008
【図８】
0003615935.tif 000009